(57)【要約】【課題】自動販売機のフロント、サイド、あるいは上部に着脱自在に貼り付ける化粧カバーにおいて、カバーと自動販売機における接着面との間に空気が残ってしまう事のない化粧カバーを提供すること。【解決手段】少なくとも自動販売機等のフロント面、サイド面、上面のいずれかに着脱自在に装着される自動販売機用化粧カバーであって、化粧カバー本体２と、化粧カバー本体２の裏面に形成された接着層を具備するとともに、前記接着層は、接着剤１１を任意のパターンによって化粧カバー本体２の裏面に塗布することで形成され、自動販売機に貼着した際に化粧カバーと自動販売機の間に入り込んだエアーを抜くためのエアー抜き部１２を有していることを特徴とし、これにより、化粧カバー１を自動販売機のフロント扉等に接着した際に化粧カバーと自動販売機との間に空気が入ってしまった場合でも、空気を出すことができる。【選択図】図３
2012038251.tif 000002
【特許請求の範囲】
【請求項１】
少なくとも自動販売機等のフロント面、サイド面、上面のいずれかに着脱自在に装着される自動販売機用化粧カバーであって、
化粧カバー本体（２）と、
該化粧カバー本体（２）の裏面に形成された接着層と、を具備するとともに、
前記接着層は、接着剤（１１）を任意のパターンによって前記化粧カバー本体（２）の裏面に塗布することで形成されており、自動販売機に貼着した際に化粧カバーと該化粧カバーを貼着した自動販売機との間に入り込んだエアーを外部に抜くためのエアー抜き部（１２）を有している、ことを特徴とする自動販売機用化粧カバー。
【請求項２】
前記接着剤（１１）のパターンがランダム形状であることを特徴とする請求項１に記載の自動販売機用化粧カバー。
【請求項３】
前記化粧カバー本体（２）を硬質の樹脂により形成したことを特徴とする請求項１又は請求項２に記載の自動販売機用化粧カバー。
【発明の詳細な説明】
【技術分野】
【０００１】
本発明は自動販売機、ショーケース等に用いる化粧カバーに係り、より詳しくは、自動販売機、ショーケース等におけるフロント扉の正面、サイド面あるいは上面に着脱自在に装着され、これにより自動販売機、ショーケース等を保護可能にするとともに自動販売機、ショーケース等の装飾の自由度を高めることを可能にした自動販売機用化粧カバーに関する。
【背景技術】
【０００２】
一般的に、自動販売機やショーケース（以下「自動販売機等」と言う。）は、その設置、あるいは回収に際しては、いわゆる「ねこ」と呼ばれる手押しの運搬具を用いて運搬されるが、このとき、自動販売機等のフロント面を下側にして運搬具に乗せ、この状態で設置場所等に運搬していくのが一般的である。
【０００３】
そのため、自動販売機等は、フロント側の形状等に制約が生じてしまい装飾性に富んだインパクトのある自動販売機を製造できないという問題点が従来から指摘されていた。
【０００４】
即ち、インパクトのある自動販売機等にするためには、フロント側に目立つ装飾を施すことが望ましく、そのためには、例えばフロント面に凹凸を有する商品広告等を形成したり、フロント面を正面側に向けて湾曲したりすることが考えられるが、例えばフロント面に凹凸を形成した場合、あるいはフロント面を正面側に向けて湾曲させた場合には、運搬の際にこの凹凸を形成した部分、あるいは湾曲部分が下側になるため、運搬中の振動等により、これらの凹凸面、湾曲面が損傷してしまうことも十分に考えられる。
【０００５】
またこのほか、自動販売機等の設置、回収に際しては、クレーン、リフトを用いることもあり、例えばクレーンを用いた場合には、自動販売機にロープをかけて、このロープにクレーン先端を引っかけて、これによりクレーンで自動販売機を吊しながら移動、設置を行うが、このとき、フロント面に凹凸を形成した場合、あるいはフロント面を正面側に向けて湾曲させた場合において、この凹凸部分等にロープがかかってしまった場合には凹凸面等が割れてしまうことも考えられる。更に、クレーンで吊っている途中で作業者が自動販売機の揺れを止めるために自動販売機に触れる場合があるが、このときもまた、自動販売機は一般的に４００ｋｇ以上の重量であるため、フロント面に凹凸を形成した場合、あるいはフロント面を正面側に向けて湾曲させた場合において、この凹凸部分等に作業者が触れてしまった場合には、凹凸面等が割れてしまうことも考えられる。
【０００６】
そのために、従来の自動販売機等では、運搬の際の損傷を最小限に抑えることを目的として、フロント面はできるだけフラットにすることが行われており、それにより、特にフロント面の装飾の自由度が制約されてしまい、インパクトのある自動販売機等の製造には限界が生じていた。
【０００７】
また、自動販売機等においては、フロント扉に商品広告等を表示していることが一般的に行われているが、従来はフロント扉に塗装等により商品広告等を表示しており、これを他の広告に変更する場合には少なくともフロント扉全面を再塗装しなければならず、手間がかかるとともにコストも上がってしまうという問題点があった。
【０００８】
更に、従来は、既に設置されている自動販売機をリニューアルする場合に、リニューアル対象の自動販売機を設置されている場所から整備工場へ引き上げて工場でリニューアル作業を行い、リニューアル作業が終了した後にそのリニューアルが完了した自動販売機を新たな設置場所に運んで再度設置作業を行うという工程が必要であり、手間とコストがかかっていた。
【０００９】
そしてその一方、このようなリニューアル作業を行った場合でも、リニューアルによって最新の自動販売機のスタイルになることはなく、製造された当時のスタイルのままできれいになるのみで、外観上は何等新鮮味のある自動販売機とはならないという問題点があった。
【００１０】
そのために、本発明者は過去において、特に自動販売機等のフロント面の装飾の自由度を高めてインパクトのある自動販売機にすることが可能であるとともに、リニューアル等を容易にすることを目的として、自動販売機等に用いるフロントカバーを提案した。
【先行技術文献】
【特許文献】
【００１１】
【特許文献１】特開平２００７−６５７９２号公報
【発明の概要】
【発明が解決しようとする課題】
【００１２】
ところで、前述のフロントカバーでは、自動販売機のフロント扉に接着剤等を用いて固着することとしているが、接着剤を用いた場合には、カバーと自動販売機との間に空気が入ってしまいきれいに貼り付けることができないという問題点が考えられる。
【００１３】
そこで、本発明は、自動販売機のフロント、サイド、あるいは上部に着脱自在に貼り付ける化粧カバーにおいて、カバーと自動販売機における接着面との間に空気が残ってしまう事のない化粧カバーを提供することを課題としている。
【課題を解決するための手段】
【００１４】
本発明の自動販売機用化粧カバーは、
自動販売機等のフロント面、サイド面、上面の少なくともいずれかに着脱自在に装着される自動販売機用化粧カバーであって、
化粧カバー本体と、該化粧カバー本体の裏面に形成された接着層と、を具備するとともに、
前記接着層は、接着剤を任意のパターンによって化粧カバー本体の裏面に塗布することで形成されており、自動販売機に貼着した際に化粧カバーと該化粧カバーを貼着した自動販売機との間に入り込んだエアーを外部に抜くためのエアー抜き部を有している、ことを特徴としている。
【発明の効果】
【００１５】
本発明の自動販売機用化粧カバーでは、裏面に接着層が形成された化粧カバー本体を有しているとともに、この接着層は、任意のパターンによって化粧カバー本体の裏面に接着剤を塗布することで形成されており、自動販売機に貼着した際に化粧カバーと該化粧カバーを貼着した自動販売機との間に入り込んだエアーを外部に抜くためのエアー抜き部を有している。
【００１６】
そのために、この化粧カバーを自動販売機のフロント扉等に接着した際において、化粧カバーと自動販売機との間に空気が入ってしまった場合でも、前記エアー抜き部を介して空気を外部に出すことができる。
【００１７】
従って、本発明の自動販売機用化粧カバーでは、自動販売機のフロント、サイド、あるいは上部に着脱自在に貼り付けた場合において、化粧カバーと自動販売機における接着面との間に空気が残ってしまう事を無くすることが可能である。
【図面の簡単な説明】
【００１８】
【図１】本発明の自動販売機用化粧カバーの実施例の正面側斜視図である。
【図２】図１におけるＡ−Ａ線断面図である。
【図３】本発明の自動販売機用化粧カバーの実施例の裏面を示す図である。
【図４】本発明の自動販売機用化粧カバーの実施例の使用方法を説明するための図である。
【図５】本発明の自動販売機用化粧カバーにおける接着剤の塗布のパターンの他の実施例を示す図である。
【図６】本発明の自動販売機用化粧カバーにおける接着剤の塗布のパターンの他の実施例を示す図である。
【図７】本発明の自動販売機用化粧カバーにおける接着剤の塗布のパターンの他の実施例を示す図である。
【発明を実施するための形態】
【００１９】
本発明の自動販売機用化粧カバーでは、自動販売機等のフロント面、サイド面、上面の少なくともいずれかに着脱自在に装着される化粧カバー本体を有しており、この化粧カバー本体の裏面には、接着層が形成されている。
【００２０】
そして、前記接着層は、接着剤を化粧カバー本体の裏面に塗布することで形成され、前記接着剤は、任意のパターンによって化粧カバー本体の裏面に塗布しているとともに、自動販売機に貼着した際に化粧カバーと該カバー本体を貼着した自動販売機との間に入り込んだエアーを外部に抜くための、エアー抜き部を有している。
【００２１】
ここで、前記接着剤の塗布パターンとしては、目立たないようなランダムな形状にするとよく、例えばチリメン状に接着剤を塗布するとよく、これにより、容易に、自動販売機に貼着した際に化粧カバーと該カバー本体を貼着した自動販売機との間に入り込んだエアーを外部に抜くためのエアー抜き部を形成することができる。
【００２２】
また、前記化粧カバー本体は、硬質の樹脂により形成するとよく、これより、軽量であるとともに、加工も容易で耐久性にも優れた化粧カバーを得ることが可能である。
【実施例１】
【００２３】
本発明の自動販売機用化粧カバー（以下単に「化粧カバー」という。）の実施例について図面を参照して説明すると、図１は、本実施例の化粧カバーを説明するための図であり、図において１が本実施例の化粧カバーである。
【００２４】
そして、本実施例において前記化粧カバー１は、自動販売機のフロント面、より具体的には、自動販売機のフロント扉の正面側に接着され、それによって自動販売機のフロント面を装飾するために用いるフロント用化粧カバーとしており、対象とする自動販売機は、カップ麺の自動販売機としている。
【００２５】
即ち、本実施例における前記化粧カバー１は、化粧カバー本体２と、この化粧カバー本体２の裏面に形成した接着層と、この接着層を被覆した剥離紙で構成されており、剥離紙を剥がして接着層を露出させた後に、接着層によって、化粧カバー本体の裏面をカップ麺の自動販売機のフロント扉の正面に接着することで使用される。
【００２６】
但し、本発明の化粧カバーは、必ずしもフロント用の化粧カバーには限定されず、その他、自動販売機の側面に接着されるサイド用化粧カバーでもよく、あるいは、自動販売機の上面に接着されるトップ用化粧カバーでもよい。また、カップ麺の自動販売機用に限定されるものでもない。
【００２７】
次に、前記化粧カバー本体について説明すると、図において２が化粧カバー本体であり、本実施例において前記化粧カバー本体２は、硬質の樹脂製とし、自動販売機のフロント扉の正面側を十分に覆うことが可能な形状及び寸法、具体的には自動販売機のフロント扉の形状に合わせて縦長の長方形状とした平板状としている。
【００２８】
そして、上方部分における、化粧カバー１を自動販売機のフロント扉に接着した際に自動販売機の商品見本展示部に対応する箇所には、化粧カバー本体２を切り欠くことにより商品見本展示用窓部３を形成している。
【００２９】
更に、この商品見本展示用窓部３の下段は、自動販売機の商品選択ボタンの位置に対応する箇所を切り欠いて自動販売機の商品選択ボタンを押圧可能にし、この切り欠いた部分を商品選択ボタン用窓４としている。
【００３０】
なお、前記商品展示用窓部３は必ずしも、化粧カバー本体２を切り欠いて形成する必要はなく、化粧カバー１を自動販売機に装着した際に前記商品展示部に対応する箇所等を透明にして、これにより商品展示用窓部３としてもよい。
【００３１】
またその他、化粧カバー１を自動販売機に装着した際に商品展示部に対応する箇所に商品の絵、写真等を表示し、この部分を商品展示用窓３としてもよい。
【００３２】
次に、前記化粧カバー本体２において、化粧カバー１を自動販売機に装着した際に、自動販売機のフロント扉に備えたコイン投入口に対応した部分には切り欠きが形成されており、この切り欠いた部分が、コイン投入用窓５とされている。
【００３３】
また、前記化粧カバー本体２において、化粧カバー１を自動販売機に装着した際に、自動販売機のフロント扉に備えた払い戻しレバーに対応した部分にも切り欠きが形成されており、この切り欠いた部分が払い戻しレバー用窓６とされている。
【００３４】
更に、前記化粧カバー本体２において、化粧カバー１を自動販売機に装着した際に、自動販売機のフロント扉に備えた釣り銭取り出し口に対応した部分にも切り欠きが形成されており、この切り欠いた部分が釣り銭取り出し口用窓７とされている。
【００３５】
更にまた、前記化粧カバー本体２において、化粧カバー１を自動販売機に装着した際に、自動販売機のフロント扉に備えた割りばし取り出し口に対応した部分にも切り欠きが形成されており、この切り欠き部分が割りばし取り出し口用窓８とされている。
【００３６】
そして更に、前記化粧カバー本体２において、化粧カバー１を自動販売機に装着した際に、自動販売機のフロント扉に備えた商品取り出し口に対応した部分にも切り欠きが形成されており、この切り欠いた部分が商品取り出し用窓９とされている。
【００３７】
このように、本実施例の化粧カバー１では、自動販売機のフロント扉に備えられている商品見本展示部、商品選択ボタン、コイン投入口、払い戻しレバー、釣り銭取り出し口、割りばし取り出し口、及び商品取り出し口に対応した箇所を切り欠いて、商品の選択、コイン投入、割り箸及び商品の取り出し等を可能にしているため、これを自動販売機のフロント扉の正面に接着した場合でも自動販売機の使用には何らの悪影響もない。
【００３８】
なお、自動販売機においては、フロント面にゲーム等を備えたものも存在しているが、かかる自動販売機用に本実施例の化粧カバーを用いる場合には適宜、本実施例の化粧カバー１を自動販売機に装着した際に自動販売機のフロント扉に備えたゲーム部分に対応した部分を切り欠いてゲーム用窓とするとよい。
【００３９】
また、前述したように、本実施例において前記化粧カバー本体２は硬質の樹脂製としているが、必ずしも硬質の樹脂を用いて形成する必要はなく、その他、アルミ等の金属板や木製の板により形成してもよい。
【００４０】
更に、化粧カバー本体２の形状寸法は、必ずしも自動販売機のフロント扉の正面側を十分に覆うことが可能にする必要はなく、フロント扉の正面の一部分を覆う形状寸法としてもよい。
【００４１】
なお、図１において１０は、商品広告等を表示するための商品広告表示部であり、即ち、本実施例の化粧カバー１では、前記商品展示用窓部３の上方に「ＣＵＰ  ＦＯＯＤＳ」の文字を表示しており、これにより、自動販売機に接する者に強いインパクトを与えることを可能にしている。但し、商品広告表示部１０は必ずしも必要なものではなく、また、商品広告表示部を用いる場合において、表示箇所は特に限定されず、いずれの箇所に表示してもよい。更に、商品広告表示部を用いる場合においては、例えば、化粧カバー本体２における商品広告表示部の部分を正面側に向けて凸状に立体成型して形成してもよく、これによれば、購買者に強いインパクトを与えることも可能である。
【００４２】
次に、前記化粧カバー２の裏面の接着層について説明すると、図２は図１におけるＡ−Ａ線断面図であり、また、図３は、本実施例における化粧カバー本体２の裏面における接着層を説明するための図であり、図において、１１は化粧カバー本体２の裏面に塗布した接着剤、１３はこの接着層１１を被覆した剥離紙である。なお、図３においては、理解を容易にするために、剥離紙１３は省略している。
【００４３】
即ち、本実施例の化粧カバー１における接着層は、化粧カバー本体２における切り欠き部分以外の部分の裏面に、ストライプ状に接着剤１１を塗布して形成されている。
【００４４】
そしてそれにより、接着剤１１を塗布した箇所以外の箇所にエアー抜き部１２が形成されるようにし、化粧カバー１を自動販売機のフロント扉に接着した際に、エアー抜き部１２の存在により、自動販売機のフロント扉と化粧カバー１との間に、端部において外部に連通した空間が形成されるようにしている。
【００４５】
そのために、本実施例の化粧カバー１を自動販売機のフロント扉に接着した際に、化粧カバー１と自動販売機との間に空気が入ってしまった場合でも、前記エアー抜き部１２の端部を介して、化粧カバー１と自動販売機との間に入ってしまった空気を外部に出すことができる。
【００４６】
また、本実施例においては、図３からも明らかなように、接着剤１１の塗布に際しては、均等に接着剤を塗布するのではなく、接着剤をランダムなチリメン状にして塗布しており、これにより、接着剤を塗布しているストライプの部分においても、エアーを抜くことが可能な凹部を形成している。
【００４７】
従って、本実施例の化粧カバーでは、自動販売機のフロント扉に貼り付けた場合において、化粧カバーと自動販売機における接着面との間に空気が残ってしまう事を無くすることが可能である。
【００４８】
また、接着剤をランダムなチリメン状にして塗布しているため、これによっても化粧カバーと自動販売機における接着面との間に空気が残ってしまう事を無くすることが可能であるとともに、均等に接着剤を塗布した場合と異なり、着脱が極めて容易である。
【００４９】
なお、前述したように、図３においては、接着剤をランダムなチリメン状にしながら縦のストライプ状のパターンで塗布して接着層を形成した構成を示したが、この接着剤の塗布のパターンは特に限定されず、化粧カバーを自動販売機に貼着した際に、エアー抜き部が形成されるパターンであればいずれでもよい。従って、横のストライプ状、斜めのストライプ状、あるいは、図５〜図７に示すような、目立たない不規則なランダム状、矢絣状、×状等、いずれのパターンとしてもよい。
【００５０】
即ち、図５のパターンでは、目立たない細かなランダム状にして接着剤を塗布したパターンとしており、それにより、各接着剤の部分間をエアー抜き部としている。
【００５１】
また、図６のパターンでは、上方に向けた矢絣状のパターンとしており、各接着層をわずかに接触させるパターンとしており、これにより各接着層が接触する部分をエアー抜き部としている。即ち、各接着層をわずかに接触させたパターンとして接着力を弱くしているため、エアーを抜く場合には、エアーが入り込んだ部分を化粧カバー本体の端部に押していくと、各接着層が接触する部分においては、エアー圧によって化粧カバー本体が自動販売機から一時的に浮き上がり、それによりエアーを通過させることが可能となる。
【００５２】
更に、図７のパターンでは、多数の×状にして接着剤を塗布して接着層を形成しており、各接着層間に接着剤が塗布されていない部分を形成し、この接着剤が塗布されていない部分をエアー抜き部としている。
【００５３】
このように、図５乃至図７のいずれのパターンにおいても、エアーを抜くための部分を備えることができるとともに、全面に均一に接着剤を塗布した場合と個となり、材料費を抑えることが可能であるとともに、着脱が容易である。
【００５４】
なお、図２では、化粧カバー本体２の裏面のほぼ全域に剥離紙を備えた形態を示したが、この剥離紙は化粧カバー本体２の裏面のほぼ全域に備える必要はなく、接着剤１１を被覆する形態であればよく、また、例えば両面テープを化粧カバー本体２の裏面に任意のパターンに貼着してもよい。
【００５５】
次に、本実施例の化粧カバー１の作用について図４を参照して説明すると、図４において３１は自動販売機であり、この自動販売機３１は、フロント側に開閉自在のフロント扉３１を有しており、このフロント扉３１の正面側には、商品見本展示部３３、商品選択ボタン３４、コイン投入口３５、払い戻しレバー３６、釣り銭取り出し口３７、割りばし取り出し口３８、及び商品取り出し口３９である。
【００５６】
そして、このように構成される自動販売機に本実施例の化粧カバー１を用いる場合には、化粧カバー本体２の裏面の接着層１１を覆っている前記剥離紙１３を剥がして接着層１１を露出させ、この接着層を、図４に示すように、自動販売機３１のフロント扉３２の正面に接着し、これにより、本実施例の化粧カバー１を自動販売機３１のフロント扉３２の正面に接着する。
【００５７】
そうすると、自動販売機を工場に持ち帰ることなく、更に自動販売機の全塗装、補修等を行うことなく、自動販売機のリニューアルや外観変更を容易に行うことができるとともに、本実施例の化粧カバー１では、自動販売機のフロント扉に備えられている前記商品見本展示部３３、商品選択ボタン３４、コイン投入口３５、払い戻しレバー３６、釣り銭取り出し口３７、割りばし取り出し口３８、及び商品取り出し口３９に対応した箇所を切り欠いて、商品見本展示用窓部３、商品選択ボタン用窓４、コイン投入用窓５、払い戻しレバー用窓６、釣り銭取り出し口用窓７、割りばし取り出し口用窓８、及び商品取り出し用窓９とし、商品の選択、コイン投入、割り箸及び商品の取り出し等を可能にしているため、化粧カバー１を接着していない自動販売機と同様に使用することができる。
【００５８】
即ち、本実施例の化粧カバー１を用いることにより、自動販売機の外観を容易に変更することができるとともに、その作業を自動販売機の設置先で行うことが可能である。
【００５９】
またそのとき、従前とは全く異なった新しいフロントのイメージを演出することができ、従来から使用していた古い自動販売機のイメージを一変することが可能であるとともに、新品の自動販売機の場合も同様に、他社の自動販売機とは全く異なったイメージのフロントを演出することが可能である。従って、本実施例の化粧カバー１を用いることによって、古い自動販売機も廃棄することなく継続して使用することが出来るので、自動販売機を廃棄した場合に考えられる環境に対する悪影響を防止し、企業イメージの向上にも資することができる。
【００６０】
そしてそのとき、本実施例の化粧カバー１では、化粧カバー本体２の裏面の接着層を形成する際に、エアー抜き部１２を形成しているために、化粧カバー１を自動販売機のフロント扉に接着した際に、化粧カバー１と自動販売機との間に空気が入ってしまった場合でも、このエアー抜き部１２を介して、化粧カバー１と自動販売機との間に入ってしまった空気を外部に出すことができ、化粧カバーと自動販売機における接着面との間に空気が残ってしまう事を無くすることが可能である。
【産業上の利用可能性】
【００６１】
本発明の化粧カバーは、自動販売機、ショーケース等のフロント扉の正面、サイド面、上面に着脱自在に接着される化粧カバーにおいて、接着する際に、自動販売機、ショーケース等における接着面と化粧カバーとの間に空気が入ってしまうことを有効に防止可能としているため、商品を収納して展示する機器に着脱自在に接着される化粧カバーの全般に適用可能である。
【符号の説明】
【００６２】
１    化粧カバー
２    化粧カバー本体
３    商品見本展示用窓部
４    商品選択ボタン用窓
５    コイン投入用窓
６    払い戻しレバー用窓
７    釣り銭取り出し口用窓
８    割りばし取り出し口用窓
９    商品取り出し用窓
１０    商品広告表示部
１１    接着剤
１２    エアー抜き部
１３    剥離紙
３１    自動販売機
３２    フロント扉
３３    商品見本展示部
３４    商品選択ボタン
３５    コイン投入口
３６    払い戻しレバー
３７    釣り銭取り出し口
３８    割りばし取り出し口
３９    商品取り出し口
【図１】
2012038251.tif 000003
【図２】
2012038251.tif 000004
【図３】
2012038251.tif 000005
【図４】
2012038251.tif 000006
【図５】
2012038251.tif 000007
【図６】
2012038251.tif 000008
【図７】
2012038251.tif 000009